(57)【特許請求の範囲】
【請求項１】
下側および上側の電極部（２０、６０）の間に発光層（４０）を設けてなる発光領域部と、この発光領域部に隣設されて前記下側の電極部に接続された下側の配線部（１００）を有する下側の配線領域部と、前記発光領域部に隣設されて前記上側の電極部に接続された上側の配線部（１１０）を有する上側の配線領域部と、前記発光領域部及び前記下側の配線領域部の近傍に設けられ前記下側の電極部および前記下側の配線部から電気的に絶縁されて形成された下側のダミーパターン部（１２０）と、前記発光領域部及び前記上側の配線領域部の近傍に設けられ前記上側の電極部および前記上側の配線部から電気的に絶縁されて形成された上側のダミーパターン部（１３０）とを備え、前記下側および上側のダミーパターン部は、前記下側および上側の電極部及び前記下側および上側の配線部と同様の光透過率を有する導電材料からなるＥＬパネル（Ｐａ）と、
前記下側および上側の配線領域部に接続された配線板（Ｂ）と、
この配線板を介し前記下側および上側の配線領域部に接続された駆動回路（Ｄ）とを備え、
前記下側および上側のダミーパターン部のそれぞれは、前記配線板及び前記駆動回路を介し接地電位に維持されていることを特徴とするＥＬ表示装置。
【発明の詳細な説明】
【０００１】
【発明の属する技術分野】
本発明はＥＬ表示装置に関するものである。
【０００２】
【従来の技術】
従来、ＥＬ表示装置としては、例えば、特開平６−５２９９０号公報にて示すようなＥＬパネル（図５及び図６参照）を採用したものがある。このＥＬパネル（以下ＥＬパネルＰという）は、図６にて示すごとく、ガラス基板１０を備えており、このガラス基板１０の内表面には、複数条のデータ電極２０、下側絶縁層３０、発光層４０、上側絶縁層５０、複数条の走査電極６０、接着剤層７０及びカバーガラス８０が順次積層形成されている。
【０００３】
ここで、複数条の走査電極６０は複数条のデータ電極２０に対し直角に位置して発光層４０と共にマトリクス状の複数の画素を構成する。なお、ガラス基板１０の内表面に複数条のデータ電極２０、下側絶縁層３０、発光層４０、上側絶縁層５０及び複数条の走査電極６０が順次積層された構成を、ＥＬパネルＰの発光領域部という。
【０００４】
また、ＥＬパネルＰにおいては、図５にて示すごとく、複数条の引き出し配線部１００がガラス基板１０の内表面に沿い複数条のデータ電極２０の各端部から延出されており、複数条の引き出し配線部１１０が、上側絶縁層５０と接着剤層７０との間に沿い複数条の走査電極６０の各端部から延出されている。なお、複数条の引き出し配線部１００及び複数条の引き出し配線部１１０を有する各領域をそれぞれＥＬパネルＰの下側及び上側の配線領域部という。
【０００５】
また、ＥＬパネルＰにおいては、下側ダミーパターン部１２０が、ガラス基板１０の内表面上のうち上記発光領域部及び下側配線領域部を除く領域（複数条のデータ電極２０及び複数条の引き出し配線部１００を除く領域であって各データ電極２０間及び各引き出し配線部１００間を除く領域）に沿い、複数条のデータ電極２０及び複数条の引き出し配線部１００から電気的に絶縁されて形成されている（図５及び図６参照）。
【０００６】
また、上側ダミーパターン部１３０が、上側絶縁層５０と接着剤層７０との間のうち上記発光領域部及び上側配線領域部を除く領域（複数条の走査電極６０及び複数条の引き出し配線部１１０を除く領域であって各走査電極６０間及び各引き出し配線部１１０間を除く領域）に沿い複数条の走査電極６０及び複数条の引き出し配線部１１０から電気的に絶縁されて形成されている（図５及び図６参照）。ここで、各データ電極２０、各走査電極６０、各引き出し配線部１００、１１０は、透明の同一の導電膜材料（ＩＴＯ）により形成されている。
【０００７】
ここで、上記ＥＬパネルＰでは、ダミーパターン部１２０、１３０は、上述のごとく、各データ電極２０、各走査電極６０及び各引き出し配線部１００、１１０と同様の材料からなるため、各ダミーパターン部１２０、１３０の光に対する透過率或いは反射率は、各データ電極２０、各走査電極６０及び各引き出し配線部１００、１１０と同一となる。このため、ＥＬパネルＰの表示領域の見栄えの均一化は確保され得る。
【０００８】
【発明が解決しようとする課題】
しかし、上記ＥＬパネルＰでは、各ダミーパターン部１２０、１３０は上述のように見栄えの均一化のために用いられるもの故、当該各ダミーパターン部は、アース電位に落として使用する対象ではなく、浮遊電位に維持されているのが通常である。このため、ＥＬパネルＰの誤発光を招くという不具合が生ずる。この点につき、以下に詳細に説明する。
【０００９】
上記ＥＬパネルＰを等価回路で表すと、図７のようになる。ここで、互いに交差するデータ電極２０と走査電極６０との間には、両電極２０、６０間に位置する発光層４０に起因する容量性に基づき、各画素にて静電容量がコンデンサＣ１として形成される（図６参照）。また、各走査電極６０とダミーパターン部１３０との間には、寄生容量がコンデンサＣ２、Ｃ２’…として形成され、両ダミーパターン部１３０、１２０間には、寄生容量がコンデンサＣ３として形成され、ダミーパターン部１２０と各データ電極２０との間には、寄生容量がコンデンサＣ４として形成される（図６参照）。
【００１０】
このため、ある走査電極６０に対し電圧Ｖ１を印加するとともに、データ電極２０に対し電圧Ｖ２（Ｖ２＝０＜Ｖ１）を印加すると、図８にて図示矢印Ａのように電圧Ｖ１が印加されている走査電極６０（図の上側に図示する走査電極６０）からコンデンサＣ２、Ｃ２’、電圧Ｖ１が印加されていない走査電極６０（図の上側に図示する走査電極６０）を介し電流が流れてコンデンサＣ１に流入し、当該コンデンサＣ１に対応する画素が発光する。このことは、ＥＬパネルが、ダミーパターン部１３０が浮遊電位に維持されているために、当該画素にて誤発光することを意味する。
【００１１】
そこで、本発明は、以上のようなことに対処するため、見栄えの均一化を図るダミーパターン部の電位を固定して、ＥＬパネルの誤発光を抑制するようにしたＥＬ表示装置を提供することを目的とする。
【００１２】
【課題を解決するための手段】
上記課題の解決にあたり、請求項１に記載の発明に係るＥＬ表示装置は、下側および上側の電極部（２０、６０）の間に発光層（４０）を設けてなる発光領域部と、この発光領域部に隣設されて下側の電極部に接続された下側の配線部（１００）を有する下側の配線領域部と、発光領域部に隣設されて上側の電極部に接続された上側の配線部（１１０）を有する上側の配線領域部と、発光領域部及び下側の配線領域部の近傍に設けられ下側の電極部および下側の配線部から電気的に絶縁されて形成された下側のダミーパターン部（１２０）と、発光領域部及び上側の配線領域部の近傍に設けられ上側の電極部および上側の配線部から電気的に絶縁されて形成された上側のダミーパターン部（１３０）とを備え、下側および上側のダミーパターン部は、下側および上側の電極部及び下側および上側の配線部と同様の光透過率を有する導電材料からなるＥＬパネル（Ｐａ）と、下側および上側の配線領域部に接続された配線板（Ｂ）と、この配線板を介し下側および上側の配線領域部に接続された駆動回路（Ｄ）とを備える。
【００１３】
そして、当該ＥＬ表示装置では、下側および上側のダミーパターン部のそれぞれは、配線板及び駆動回路を介し接地電位に維持されている。
【００１４】
上述のように、ＥＬパネルにおいては、下側および上側のダミーパターン部が下側および上側の電極部及び下側および上側の配線部と同様の光透過率を有するから、下側および上側のダミーパターン部でもってＥＬパネルの表示領域の見栄えの均一化が可能とし得る。そして、このＥＬパネルにおいて、下側および上側のダミーパターン部のそれぞれが配線板及び駆動回路を介し接地電位に維持されているので、下側および上側のダミーパターン部が浮遊電位に維持されることがない。よって、ＥＬパネルが発光領域部にて誤発光することがない。また、上側あるいは下側の電極部から生ずる電磁ノイズを、配線板及び駆動回路を介し接地することで電流として放出することによって、電磁ノイズを除去することができる。
【００２０】
なお、上記各手段の括弧内の符号は、後述する実施形態に記載の具体的手段との対応関係を示すものである。
【００２１】
【発明の実施の形態】
以下、本発明の一実施形態を図面により説明する。図１は、本発明に係るＥＬ表示装置の一例を示している。このＥＬ表示装置は、ＥＬパネルＰａと、駆動回路Ｄと、ＥＬパネルＰａを駆動回路Ｄに接続する配線板Ｂとにより構成されている。
【００２２】
ＥＬパネルＰａは、図２及び図３にて示すごとく、図５に基づき説明したＥＬパネルＰと同様の構成を有する。よって、当該ＥＬパネルＰａの構成の説明は、ＥＬパネルＰと同一部分には同一符号を付すことで省略する。
【００２３】
配線板Ｂは、フレキシブルプリント基板等の柔軟性配線板からなるもので、当該配線板Ｂは、絶縁膜１４０内に複数条の銅箔１５０、１６０、１７０を内蔵して形成されている（図２参照）。
【００２４】
ここで、各銅箔１５０は、その一端部にて、ＥＬパネルＰａの各引き出し配線部１００の先端部にそれぞれ接続されている。また、各銅箔１６０は、その一端部にて、ＥＬパネルＰａの各引き出し配線部１１０の各先端部にそれぞれ接続されている。また、銅箔１７０は、その一端にて、ＥＬパネルＰａの両ダミーパターン部１２０、１３０の各接続端部に接続されている。
【００２５】
駆動回路Ｄは、走査電極駆動回路１８０及びデータ電極駆動回路１９０（図２参照）からなるもので、走査電極駆動回路１８０は、複数条の銅箔１６０の各他端部に接続され、データ電極駆動回路１９０は、複数条の銅箔１５０の各他端部に接続されている。ここで、走査電極駆動回路１８０は、走査ドライバ制御回路及び電源回路からなり、また、データ電極駆動回路１９０は、データドライバ制御回路及び電源回路からなる。また、駆動回路Ｄは、接地端子Ｇにて接地されており、この接地端子Ｇには、配線板Ｂの銅箔１７０の他端が接続されている。このことは、両ダミーパターン部１２０、１３０が、銅箔１７０及び駆動回路Ｄの接地端子Ｇを通して接地されていることを意味する。
【００２６】
走査電極駆動回路１８０は、各走査電極６０に走査電圧を印加し、データ電極駆動回路１９０は、データ電圧を各データ電極２０に印加する。これにより、ＥＬ表示装置は、走査電極駆動回路１８０の走査電圧の印加による走査電極の線順次走査のもと、走査電圧及びデータ電圧の合成電圧に基づきＥＬパネルＰａをマトリクス駆動する。
【００２７】
以上のように構成した本実施形態においては、ＥＬパネルＰａにおいて、図３及び図４にて示すような等価回路が、図７及び図８の等価回路に対応して形成される。但し、ＥＬパネルＰａにおいては、図８の等価回路とは異なり、図４にて示すごとく、両ダミーパターン部１２０、１３０が駆動回路Ｄの接地端子Ｇを通して接地されている。
【００２８】
従って、走査電極駆動回路１８０により走査電極６０に対し上記電圧Ｖ１（図８参照）を走査電圧として印加するとともに、データ電極駆動回路１９０によりデータ電極２０に対し上記電圧Ｖ２（図８参照）をデータ電圧として印加すると、各電流が図４にて図示矢印Ａ１に示すように流れる。
【００２９】
即ち、当該各電流は各ダミーパターン部１２０、１３０及び接地端子Ｇを通り接地ラインに流れるため、コンデンサＣ１には流れ込まない。このため、コンデンサＣ１に対応する画素が発光することがない。このことは、ＥＬパネルＰａは、両ダミーパターン部１２０、１３０の上記接地のため、コンデンサＣ１に対応する画素における誤発光を防止されることを意味する。
【００３０】
また、ダミーパターン部１３０は、各走査電極６０及び引き出し配線部１１０を外周側からほぼ包囲し、ダミーパターン部１２０は、各データ電極２０及び引き出し配線部１００をほぼ包囲している。そして、各ダミーパターン部１２０、１３０は、配線板Ｂの銅箔１７０及び駆動回路Ｄの接地端子Ｇを介し接地されている。
【００３１】
このため、ダミーパターン１２０、１３０は、各走査電極６０や各データ電極２０から生ずる電磁ノイズを、配線板Ｂの銅箔１７０及び駆動回路Ｄの接地端子Ｇを通し電流として放出する。従って、ダミーパターン部１２０、１３０は、銅箔１７０及び接地端子Ｇを介し接地されることで、電磁ノイズ除去手段としての役割をも果たす。
【００３２】
なお、上記実施形態では、配線板ＢはＳ字状に湾曲しているが、これに限る異なく、配線板Ｂは平板状に展開した状態であっても、ダミーパターン部１２０、１３０の電磁ノイズ除去手段としての役割を実質的に達成できる。
【００３３】
また、本発明の実施にあたり、ＥＬパネルＰａは、上記実施形態にて述べたようにマトリクス型のものに限ることなく、セグメント型のものであってもよい。
【図面の簡単な説明】
【図１】本発明に係るＥＬ表示装置の一実施形態を示す側面図である。
【図２】図１の配線板を平板状に展開した状態におけるＥＬ表示装置の平面図である。
【図３】図２のＥＬ表示装置の等価回路図である。
【図４】図３のＥＬパネルにおける各コンデンサの回路構成を示す図である。
【図５】従来のＥＬパネルの部分破断平面図である。
【図６】図５にて６−６線に沿う断面図である。
【図７】図５のＥＬパネルの等価回路図である。
【図８】図７のＥＬパネルにおいて各コンデンサが形成する回路図である。
【符号の説明】
Ｂ…配線板、Ｄ…駆動回路、Ｐａ…ＥＬパネル、１０…ガラス基板、
２０…データ電極、３０、５０…絶縁層、４０…発光層、６０…走査電極、
７０…接着剤層、１００、１１０…引き出し配線部、
１２０、１３０…ダミーパターン部。
【図１】
0003785868.tif 000002
【図２】
0003785868.tif 000003
【図３】
0003785868.tif 000004
【図４】
0003785868.tif 000005
【図５】
0003785868.tif 000006
【図６】
0003785868.tif 000007
【図７】
0003785868.tif 000008
【図８】
0003785868.tif 000009